(57)【特許請求の範囲】
【請求項１】
交互に逆方向に折り返して伸縮可能としたプリーツ状スクリーンの左右両端に、中空に形成された第１及び第２の竪框をそれぞれ装着し、それら竪框のうち少なくとも一方の竪框の横引きにより、建物開口部を開閉自在とするためのスクリーン装置において、
一端部が上記第１の竪框の上端部に固定されていると共に、上記スクリーンの伸縮に伴って、上記第２の竪框の上端部からその内部に屈曲して出入りし、張設状態にある上記スクリーンの上端に沿って導出されたときに、上記スクリーンの上端をガイドする可撓性を有する第１のガイド体と、
一端部が上記第２の竪框の下端部に固定されていると共に、上記スクリーンの伸縮に伴って、上記第１の竪框の下端部からその内部に屈曲して出入りし、張設状態にある上記スクリーンの下端に沿って導出されたときに、上記スクリーンの下端をガイドする可撓性を有する第２のガイド体と、
を備えたことを特徴とするスクリーン装置。
【請求項２】
上記第２の竪框の上端近傍には、上記第１のガイド体の他端部が該第２の竪框から抜脱するのを阻止する第１のストッパーが設けられ、
上記第１の竪框の下端近傍には、上記第２のガイド体の他端部が該第１の竪框から抜脱するのを阻止する第２のストッパーが設けられていることを特徴とする請求項１に記載のスクリーン装置。
【請求項３】
上記各ガイド体の他端部にそれぞれ一端を連結した第１及び第２の張紐が、上記スクリーン及び各竪框内に架け回され、上記スクリーンの伸張状態において、該スクリーンの開閉方向にそれぞれ張設されることにより、該スクリーンを支持するワイヤーテンション機構が装着されていること特徴とする請求項１又は２に記載のスクリーン装置。
【請求項４】
少なくとも一方の竪框に、該竪框を必要数の張紐により拘束することにより、上記スクリーンを安定した姿勢で開閉させる開閉補助機構を付設した、
ことを特徴とする請求項１乃至３のいずれかに記載のスクリーン装置。
【請求項５】
上記開閉補助機構は、
上記建物開口部における一方の側枠に一端が固定され、上記スクリーンの上端を通して、他方の側枠側に位置する竪框内を上端から下端に向けて挿通され、他端が他方の側枠に固定される第３の張紐と、
上記建物開口部における上記他方の側枠に一端が固定され、該他方の側枠側に位置する竪框内を上端から下端に向けて挿通され、上記スクリーンの下端を通して、他端が上記一方の側枠に固定される第４の張紐と、
からなることを特徴とする請求項４に記載のスクリーン装置。
【発明の詳細な説明】
【０００１】
【発明の属する技術分野】
本発明は、交互に逆方向に折り返した伸縮可能なスクリーンを横引きにより開閉自在とした、防虫、遮光、目隠しあるいは断熱等のためのスクリーン装置に関するものであり、詳しくは、両端に竪框が装着されたスクリーンの伸張すなわち閉動作に伴い、ガイド体が竪框内からスクリーンの上下端に沿って導出されるスクリーン装置に関するものである。
【０００２】
【従来の技術】
従来、この種のスクリーン装置としては、プリーツ状スクリーンの左右両端に、横方向に移動可能な中空の竪框がそれぞれ装着されているスクリーン装置において、一端部が一方の竪框の上下端部にそれぞれ固定され、スクリーンの伸縮に伴って、他方の竪框の上下端からその内部にそれぞれ出入りする一対のガイド体を備えたものが、例えば特開平９−８８４５６号公報等において知られている。そうすることにより、歩行等の障害となる建物開口部の下枠を排除することができると同時に、上枠をも排除することで、建物開口部の外観を向上させることができるという利点がある。
【０００３】
しかしながら、上記スクリーン装置では、一端部が一方の竪框の上下端部にそれぞれ固定された一対のガイド体が、スクリーンの収縮時において、他方の竪框内にその上下端から同時に収容されていく構成になっていることから、スクリーンの開閉範囲をできる限り広げるためには、スクリーンの収縮時に両ガイド体の他端部同士が竪框内で衝突しないように、該竪框内において両ガイド体の軌道をずらす工夫が必要となるが、そのためには、竪框の内面に、両ガイド体の軌道を分けるための隔壁等を形成する必要があり、コスト高になってしまうという問題点がある。
【０００４】
【発明が解決しようとする課題】
本発明の技術的課題は、上記のような問題点に鑑みてなされたものであって、スクリーンの上下端部をガイドする一対のガイド体が、該スクリーンの伸縮に伴って、該スクリーンに装着された竪框の内部に出入りするように構成されたスクリーン装置において、既存の竪框の利用することにより低コストにて、開閉範囲を広くとることが可能なスクリーン装置を提供することにある。
【０００５】
【課題を解決するための手段】
上記課題を解決するための本発明に係るスクリーン装置は、交互に逆方向に折り返して伸縮可能としたプリーツ状スクリーンの左右両端に、中空に形成された第１及び第２の竪框をそれぞれ装着し、それら竪框のうち少なくとも一方の竪框の横引きにより、建物開口部を開閉自在とするためのスクリーン装置において、一端部が上記第１の竪框の上端部に固定されていると共に、上記スクリーンの伸縮に伴って、上記第２の竪框の上端部からその内部に屈曲して出入りし、張設状態にある上記スクリーンの上端に沿って導出されたときに、上記スクリーンの上端をガイドする可撓性を有する第１のガイド体と、端部が上記第２の竪框の下端部に固定されていると共に、上記スクリーンの伸縮に伴って、上記第１の竪框の下端部からその内部に屈曲して出入りし、張設状態にある上記スクリーンの下端に沿って導出されたときに、上記スクリーンの下端をガイドする可撓性を有する第２のガイド体と、を備えたことを特徴とするものである。
【０００６】
このように、上記スクリーン装置においては、第１のガイド体が第２の竪框の上端からその内部に出入りし、第２のガイド体が第１の竪框の下端からその内部に出入りするように構成としたことにより、歩行等の障害となるような建物開口部の下枠を排除することができ、建物開口部の外観を向上させることができるばかりでなく、第１および第２のガイド体が、左右の両竪框に個別に収容されるため、既存の竪框を用いることにより低コストにて、スクリーン装置の開閉範囲を広く設定することが可能となる。
【０００７】
上記スクリーン装置においては、上記第２の竪框の上端近傍に、上記第１のガイド体の他端部が該第２の竪框から抜脱するのを阻止する第１のストッパーを設け、上記第１の竪框の下端近傍に、上記第２のガイド体の他端部が該第１の竪框から抜脱するのを阻止する第２のストッパーを設けるのが好ましい。
【０００８】
また、上記スクリーン装置には、上記各ガイド体の他端部にそれぞれ一端を連結した第１及び第２の張紐が、上記スクリーン及び各竪框内に架け回され、上記スクリーンの伸張状態において、該スクリーンの開閉方向にそれぞれ張設されることにより、該スクリーンを支持するワイヤーテンション機構が装着することも可能である。
【０００９】
特に、両竪框をともに横引き可能とする場合には、少なくとも一方の竪框に、該竪框を必要数の張紐により拘束することにより、上記スクリーンを安定した姿勢で開閉させる開閉補助機構を付設するのが好ましい。
そうすることにより、竪框が上記必要数の張紐の張力によって安定的に保持されるため、何れの竪框を操作してもスクリーンを安定した姿勢で開閉させることができる。
【００１０】
なお、上記開閉補助機構は、上記建物開口部における一方の側枠に一端が固定され、上記スクリーンの上端を通して、他方の側枠側に位置する竪框内を上端から下端に向けて挿通され、他端が他方の側枠に固定される第３の張紐と、上記建物開口部における上記他方の側枠に一端が固定され、該他方の側枠側に位置する竪框内を上端から下端に向けて挿通され、上記スクリーンの下端を通して、他端が上記一方の側枠に固定される第４の張紐と、から構成することができる。
【００１１】
【発明の実施の形態】
図１〜３は、本発明に係るスクリーン装置の第１実施例を示すもので、ここでは、一方の竪框が建物開口部の一方の側枠に固定され、他方の竪框を横引き操作することにより開閉するスクリーン装置のうち、特に防虫網戸１を例示している。なお、上記スクリーン装置を、防虫のみならず、遮光、目隠しあるいは断熱等の用途に用いることも勿論可能である。
【００１２】
上記防虫網戸１は、交互に逆方向に折り返してアコーディオン式に伸縮するプリーツ状のネット３と、このネット３の一端側に装着された開閉操作用の可動竪框４Ａと、他端側に装着された固定竪框４Ｂとから構成されており、図４に示すように、建物開口部の左右に設置した側枠２Ａ，２Ｂ間に、上記固定竪框４Ｂを側枠２Ｂに固定して設置され、可動竪框４Ａを操作することにより横方向に開閉自在となっている。
【００１３】
上記建物開口部は左右に、側枠２Ａ，２Ｂを有するが、防虫網戸１の上下端を支持してガイドする上下枠を設ける必要はなく、これに代えて、可動竪框４Ａの移動に伴って、可動竪框４Ａの上端および固定竪框４Ｂの下端から、ガイド体５Ａ，５Ｂが、それぞれ出没するようになっている。
【００１４】
上記各竪框４Ａ，４Ｂは中空に形成され、可動竪框４Ａはその上端近傍に、固定竪框４Ｂはその下端近傍に、それぞれ上記ガイド体５Ａ，５Ｂを出入りさせるための開口を備えている。
また、上記ガイド体５Ａは，一端部が固定竪框４Ｂの上端近傍に固定され、可動竪框４Ａの操作に伴うネット３の伸縮に応じて、可動竪框４Ａの上端近傍の開口からその内部に屈曲して出入りするようになっており、ネット３が張設状態にあるときには、ネット３の上端に沿って導出され、ネット３の上端を両面側から保持した状態でガイドし、ネット３が収縮状態にあるときには、可動竪框４Ａの内部に収容されるようになっている。
【００１５】
一方、上記ガイド体５Ｂも、一端部が可動竪框４Ａの下端近傍に固定され、可動竪框４Ａの操作に伴うネット３の伸縮に応じて、固定竪框４Ｂの下端近傍の開口からその内部に屈曲して出入りするようになっており、ネット３が張設状態にあるときには、ネット３の下端に沿って導出され、ネット３の下端を両面側から保持した状態でガイドし、ネット３が収縮状態にあるときには、固定竪框４Ｂの内部に収容されるようになっている。
【００１６】
したがって、ネット３を収縮させて防虫網戸１を開いた状態において、建物開口部を通過する歩行者等の障害となるような下枠を無くすことができ、老人や障害者に対するバリアフリーが実現されると共に、上枠を無くすことも可能であるため、建物開口部の外観をも向上させることができる。
また、既存の竪框４Ａ，４Ｂを使用して、その内部に該竪框４Ａ，４Ｂの長さとほぼ同じ長さのガイド体５Ａ，５Ｂを収容することで、上記防虫網戸１の開閉範囲を、該竪框４Ａ，４Ｂの長さとほぼ同じに設定することができるため、低コストにて、広い開閉範囲を確保することが可能となる。
【００１７】
そして、防虫網戸１は、ガイド体５Ａ，５Ｂが、張設状態のネット３の上下端をその両面側から保持した状態でガイドするように構成されていることから、ネット３の伸縮動作がスムーズであるばかりでなく、風等によりネット３の面方向から力が加わっても、その揺れが抑止され、安定した張設状態を維持することが可能である。
【００１８】
更に詳述すると、上記プリーツ状のネット３の両端に適宜の係止手段により着脱自在に装着された可動竪框４Ａ及び固定竪框４Ｂは、長さ方向に中空となっており、通常、ワイヤーテンション機構の張紐等が挿通されているが、本願では上記ガイド体５Ａ，５Ｂを収容するための内部空間としても利用している。
上記可動竪框４Ａにおける上記ネット３に装着された面の上端部には、上記ガイド体５Ａを内部に出入りさせるための開口が、下端部には、上記ガイド体５Ｂの一端部を内部に固定するための開口が設けられており、上記固定竪框４Ｂにおける上記ネット３に装着された面の上端部には、上記ガイド体５Ａの一端部を内部に固定するための開口が、下端部には、上記ガイド体５Ｂを内部に出入りさせるための開口が設けられている。
【００１９】
また、上記可動竪框４Ａの上部開口および固定竪框４Ｂの下部開口には、上記ガイド体５Ａ，５Ｂを、これらの開口から滑らかに屈曲させて各竪框４Ａ，４Ｂの内部へと案内する屈曲ガイド部６Ａ，６Ｂが設けられており、上記ガイド体５Ａ，５Ｂの可動竪框４Ａおよび固定竪框４Ｂに対する出入りを容易にしている。更に、上記可動竪框４Ａの上下端には戸車７が設けられており、該戸車７を建物開口部の上下部に設けた図示しないレール等に沿って走行させることで、上記可動竪框４Ａの移動が容易となり、よりスムーズに上記防虫網戸１を開閉操作を行うことが可能となる。
【００２０】
上記ガイド体５Ａ，５Ｂは、樹脂で一体成形された長尺材であって、図５に示すように、ネット３の上下端に添わせるための底部５１と、底部５１の撓みを可能にするため一定間隔の多数の凹欠部５２を切設した、ネット３を両面側から保持してその揺れを防止するための、一対の側壁部５３とを含む断面略コ字状に形成され、上記底部５１の裏面の両側には内側に屈曲した突条５４が設けられ、この突条５４における上記凹欠部５２に対応する位置には、底部５１の撓みを容易にする切欠き５５が切設されている。
【００２１】
そして、上記ガイド体５Ａの一端部が上記固定竪框４Ｂの上端近傍の内部に、上記ガイド体５Ｂの一端部が上記可動竪框４Ａの上端近傍の内部に、それぞれネジ等の固定手段によって固定され、上記可動竪框４Ａの移動による防虫網戸１の開閉操作に伴って、上記ガイド体５Ａは上記可動竪框４Ａの上部開口から、上記屈曲ガイド部６Ａに案内されてその内部に屈曲しながら出入りし、上記ガイド体５Ｂは上記固定竪框４Ｂの下部開口から、上記屈曲ガイド部６Ｂに案内されてその内部に屈曲しながら出入りする。また、上記ガイド体５Ａ，５Ｂが上記ネット３の上下端にそれぞれ導出された状態においては、該ガイド体５Ａ，５Ｂの長手方向両側に設けられた上記側壁部５３によって、ネット３の上下端が両面側からそれぞれ支持される。
【００２２】
ガイド体５Ａの他端部と可動竪框４Ａの上部との間、及び、ガイド体５Ｂの他端部と固定竪框４Ｂの下部との間には、ガイド体５Ａ，５Ｂの他端が、竪框４Ａ，４Ｂから抜脱するのを防止するためのストッパー機構が設けられている。
【００２３】
具体的には、可動竪框４Ａ内の上部にはストッパー片１１が設けられ、ガイド体５Ａの他端部には係止片１２が設けられており、該ガイド体５Ａが上記竪框４Ａから導出されてその他端部が上記可動竪框４Ａ内を上部まで移動したとき、上記係止片１２がストッパー片１１に当接して係止され、ガイド体５Ａの他端が可動竪框４Ａの上部から抜脱するのを防止している。一方、固定竪框４Ｂの下部にもストッパー片１１が設けられ、ガイド体５Ｂの他端部にも係止片１２が設けられており、該ガイド体５Ｂが竪框４Ｂ内から導出されてその他端部が上記固定竪框４Ｂ内を下部まで移動したときに、上記係止片１２がストッパー片１１に当接し係止され、ガイド体５Ｂの他端部が固定竪框４Ｂの下部から抜脱するのを防止している。
【００２４】
同時に、上記ストッパー機構は、上記ガイド体５Ａ，５Ｂの上記竪框４Ａ，４Ｂからの最大導出長さを制限することで、上記可動竪框４Ａの移動範囲すなわち上記ネット３の最大伸張幅を制限している。
【００２５】
一方、本実施例の防虫網戸１にはワイヤーテンション機構が装着されている。具体的には、上記ガイド体５Ａの他端部には張紐７Ａの一端が連結されており、上記可動竪框４Ａ内上部のストッパー片１１とほぼ同じ位置に設けられた転向子８で下方へ折り返され、下部に設けられた転向子８で水平方向に屈折され、ネット３の下部に水平に挿通されて、更に固定竪框４Ｂ内下部の転向子８によって屈折されて、固定竪框４Ｂ内に他端が固定されている。一方、上記ガイド体５Ｂの他端部には張紐７Ｂの一端が連結されており、上記固定竪框４Ｂ内下部のストッパー片１１とほぼ同じ位置に設けられた転向子８で上方へ折り返され、上部に設けられた転向子８で水平方向に屈折され、ネット３の上部に水平に挿通されて、更に可動竪框４Ａ内上部の転向子８によって屈折されて、可動竪框４Ａ内に他端が固定されている。
【００２６】
そうすることで、張紐７Ａ，７Ｂによって、ネット３の弛みが防止されるため、ネット３の張設状態を安定化させることができると同時に、可動竪框４Ａが開閉操作時に移動方向に傾斜するのが防止されるため、可動竪框４Ａのスムーズな操作が可能となる。
【００２７】
図４（ａ）、（ｂ）は、第１実施例に係る上記防虫網戸１の使用態様を例示的に示すものである。図４（ａ）は、上記防虫網戸１を建物開口部に装着した２枚の引き違いの障子３０に沿わせて設置して、固定竪框４Ｂを一方の側枠２Ｂに固定し、可動竪框４Ａを１枚の障子幅に対応する範囲内において開閉操作できるようにして使用する場合を示している。
また、上記側枠２Ｂに装着された防虫網戸１に加えて、図４（ｂ）に示すように、他方の側枠２Ａにも同様の防虫網戸１の固定竪框４Ｂを固定し、２枚の障子３０が装着された建物開口部の左右方向の中央にて、上記２枚の防虫網戸１の可動竪框４Ａ，４Ａを召し合わせるようにすることも可能である。
【００２８】
上記第１実施例に係る防虫網戸１をこのような態様で使用する場合、可動竪框４Ａの障子３０と対向する面に、その高さ方向に延びる帯状パッキン９を配設すると、防虫網戸１と障子３０との間隙が遮断され、虫等の侵入をより確実に阻止することができる。
【００２９】
図７、８は、本発明に係るスクリーン装置の第２実施例を示すものである。なお、ここでは、記述の重複を避けるために、第１実施例と同じ構成については同一符号を付し、それらに関する説明は省略する。
本発明に係る第２実施例においては、上記第１実施例の固定竪框４Ｂに代えて、可動竪框４Ｃを設けるた所謂吊元自在タイプのスクリーン装置のうち、特に防虫網戸１０を例示している。なお、上記スクリーン装置を、防虫のみならず、遮光、目隠しあるいは断熱等の用途に用いることも勿論可能である。
【００３０】
本第２実施例においては、ネット３の両端に装着した竪框を共に左右方向に移動可能な可動竪框４Ａ，４Ｃとし、そのうち一方の可動竪框４Ｃが、開閉操作等による移動時及び停止時において、建物開口部の両側に配置された側枠２Ａ，２Ｂに対して平行状態を維持できるように、開閉補助機構によって保持されている。一方、開閉補助機構によって保持されていない可動竪框４Ａについては、上記ワイヤーテンション機構によって開閉補助機構が装着された上記可動竪框４Ｃに対して平行状態が維持されるようになっている。
【００３１】
更に詳述すると、上記開閉補助機構は、２本の張紐４１、４２とから構成されており、張紐４１の一端は、建物開口部における一方の側枠２Ａの上部等に固定され、可動竪框４Ａの上端からネット３の上端であって、上記ガイド体５Ａの上記底部５１の裏面とその両側に凸設された突条５４とによって形成された凹溝内を経て、可動竪框４Ｃの上端に至り、下方に屈曲されたうえで可動竪框４Ｃの内部に沿ってその下端に順次導かれ、張紐４１の他端が、他方の側枠２Ｂの下部等に固定される。
【００３２】
一方、張紐４２の一端は、建物開口部における上記他方の側枠２Ｂの上部等に固定され、可動竪框４Ｃの上端で下方に屈曲れたうえで、可動竪框４Ｃの内部に沿ってその下端に導かれ、ネット３の下端であって，上記ガイド体５Ｂの上記凹溝内を通って、更に上記可動竪框４Ａの下端を順次経て、張紐４２の他端が、上記一方の側枠２Ａの下部等に固定される。
【００３３】
そうすることにより、可動竪框４Ｃには、張紐４１の張力と張紐４２の張力とが相反する方向に作用し、これらの張力が釣り合いを保つことで可動竪框４Ｃが常に垂直姿勢に拘束され、しかも、上記ワイヤーテンション機構によって、可動竪框４Ａについても上記可動竪框４Ｃに対して平行状態が維持されることから、防虫網戸１０の開閉操作等のために可動竪框４Ａ，４Ｃを移動させるときにも、これらが傾動することなく常に垂直姿勢が維持され、安定した操作が可能となる。
【００３４】
図９、１０は、本発明の第２実施例に係る防虫網戸１０の使用態様を例示的に示すもので、防虫網戸１０を建物開口部に装着した２枚の引き違いの障子３０に沿って設置し、１枚の障子幅に対応する範囲内において、開閉操作できるようにして使用する場合を示している。
本実施例に係る防虫網戸１０は、両側枠２Ａ，２Ｂ間で自在に移動させることが可能であるため、建物開口部に１枚装着すれば、左右２枚の障子の何れの障子に対しても適用することができる。
【００３５】
なお、上記可動竪框４Ｃは、可動竪框４Ａと同様、その上下端に戸車７を、また、上記障子３０と対向する面に、その高さ方向に延びる帯状パッキン９を備えている。
【００３６】
ところで、上記各実施例においては、図５に示すガイド体５Ａ，５Ｂに代えて、図６に示すようなガイド体６０Ａ，６０Ｂを用いてもよい。
このガイド体６０Ａ，６０Ｂは、弾性を有し屈曲可能な長尺帯状に形成された、ネット３の上端または下端に添わせるためのシート材６１と、断面略コ字状の複数のガイド駒６２とから構成されており、これらガイド駒６２は、その底部６３の表面の両端に上記シート材を挿通するための一対の溝６４を有し、複数のガイド駒６２が、シート材６１の長手方向に一列状に整列配置されて連結されている。なお、シート材６１の長手方向の両端に位置するガイド駒体６２は、シート材６１に固定され、中間位置にあるガイド駒６２がシート材６１から離脱しないようになっている。
【００３７】
また、上記底部６３の表面の両端からは、ネット３を両面側から保持してその揺れを防止するための一対の側壁部６５が立ち上げられて形成され、この側壁部６５の内面および外面には、凹部６６が互い違いに形成され、ガイド体６０Ａ，６０Ｂの屈曲時に、隣接する側壁部６５の内外面の凹部６６同士が重なり合い、ガイド体６０Ａ，６０Ｂの屈曲を可能にしている。そして、上記底部６３の裏面の両端には、内側に屈曲した突条６７が凸設され、上記底部６３と両突条６７，６７とによって形成される凹溝内に、上記各張紐等を挿通できるようになっている。
【００３８】
以上、本発明に係る実施例について詳述したが、本発明は、上記各実施例に記載のスクリーン装置に限定されるものではなく、本発明の特許請求の範囲に記載されている発明の精神を逸脱しない範囲で、設計において種々の変更ができるものである。
例えば、ワイヤーテンション機構は上記各実施例の形態のものに限られず、その他の形態のものを採用しても良い。また、上記第２実施例の開閉補助機構についても、上記の形態に限られるものではなく、他方の可動竪框４Ａに対して設けることも可能であり、その張紐も、２本に限らず、可動竪框４Ａ，４Ｃの形状や大きさ、張紐の剛性に鑑み必要数使用すればよい。
【００３９】
【発明の効果】
以上に詳述した本発明に係るスクリーン装置によれば、第１のガイド体が第２の竪框の上端からその内部に出入りし、第２のガイド体が第１の竪框の下端からその内部に出入りするように構成としたことにより、歩行等の障害となるような建物開口部の下枠を排除することができ、建物開口部の外観を向上させることができるばかりでなく、第１および第２のガイド体が、左右の両竪框に個別に収容されるため、既存の竪框を用いることにより低コストにて、スクリーン装置の開閉範囲を広く設定することが可能となる。
【図面の簡単な説明】
【図１】本発明の第１実施例に係るスクリーン装置の部分断面図である。
【図２】図１のＩ−Ｉ断面図である。
【図３】図１の側面図である。
【図４】（ａ），（ｂ）は、本発明の第１実施例に係るスクリーン装置の設置状態を示す断面図である。
【図５】ガイド体の部分斜視図である。
【図６】他のガイド体の部分斜視図である。
【図７】本発明の第２実施例に係るスクリーン装置の部分断面図である。
【図８】図７のＩＩ−ＩＩ断面図である。
【図９】本発明の第２実施例に係るスクリーン装置の設置状態を示す断面図である。
【図１０】本発明の第２実施例に係るスクリーン装置の他の設置状態を示す断面図である。
【符号の説明】
１，１０    防虫網戸（スクリーン装置）
２Ａ，２Ｂ  側枠
３          ネット（スクリーン）
４Ａ，４Ｃ  可動竪框
４Ｂ        固定竪框
５Ａ，５Ｂ，６０Ａ，６０Ｂ  ガイド体
７Ａ，７Ｂ，４１，４２  張紐
１１  ストッパー片
１２  係止片
【図１】
0004174207.tif 000002
【図２】
0004174207.tif 000003
【図３】
0004174207.tif 000004
【図４】
0004174207.tif 000005
【図５】
0004174207.tif 000006
【図６】
0004174207.tif 000007
【図７】
0004174207.tif 000008
【図８】
0004174207.tif 000009
【図９】
0004174207.tif 000010
【図１０】
0004174207.tif 000011